(57)【要約】【課題】特定の利用者に、利用者毎の嗜好等に合わせたコンテンツを配信することができるコンテンツ配信システムを提供する。【解決手段】コンテンツ配信システム１は、利用者識別媒体１０、情報表示端末２０、及びコンテンツ記憶サーバ３０を備え、利用者識別媒体１０には、コンテンツＩＤの埋め込まれた電子透かし画像１１が第１情報として印刷されると共に、利用者識別媒体１０の固有情報、前記コンテンツＩＤ及び非公開値により構成されるデータのハッシュ値と、前記固有情報とが第２情報として記憶された記憶媒体１２が実装され、情報表示端末２０は、利用者識別媒体１０から得たコンテンツＩＤ、固有情報、及び自身の記憶する非公開値により構成されるデータのハッシュ値を算出し、当該ハッシュ値と利用者識別媒体１０から得たハッシュ値とが一致する場合に、コンテンツ記憶サーバ３０からコンテンツＩＤに対応するコンテンツを取得して表示させる。【選択図】図１
2015103009.tif 000002
【特許請求の範囲】
【請求項１】
情報提供者側から利用者に配布される利用者識別媒体と、利用者がコンテンツを閲覧するときに使用する情報表示端末と、前記情報表示端末に通信ネットワークを介して配信するコンテンツを記憶するコンテンツ記憶サーバと、を備えたコンテンツ配信システムであって、
前記利用者識別媒体には、
コンテンツＩＤの埋め込まれた電子透かし画像が第１情報として印刷されると共に、
前記利用者識別媒体の固有情報、前記コンテンツＩＤ及び非公開値により構成されるデータのハッシュ値と、前記固有情報とが第２情報として記憶された記憶媒体が実装され、
前記情報表示端末は、
情報提供者側から配信された前記非公開値を記憶する非公開値記憶手段と、
前記利用者識別媒体から前記第１情報を取得する第１情報取得手段と、
前記利用者識別媒体から前記第２情報を取得する第２情報取得手段と、
前記第１情報に含まれる前記コンテンツＩＤ、前記第２情報に含まれる固有情報及び前記非公開値記憶手段に記憶された前記非公開値により構成されるデータのハッシュ値を算出するハッシュ値算出手段と、
前記ハッシュ値算出手段により算出されたハッシュ値と、前記第２情報に含まれるハッシュ値とが一致するか否かを判定するハッシュ値判定手段と、
前記ハッシュ値判定手段において両ハッシュ値が一致すると判定された場合に、前記コンテンツ記憶サーバから前記コンテンツＩＤに対応するコンテンツを取得し、当該コンテンツを前記情報表示端末に表示させるコンテンツ取得手段と、
を備えることを特徴とするコンテンツ配信システム。
【請求項２】
請求項１に記載のコンテンツ配信システムにおいて、
前記情報表示端末は、前記第２情報取得手段が前記利用者識別媒体から前記第２情報の取得に成功した場合に、前記第１情報取得手段により前記利用者識別媒体の前記第１情報を取得させること、
を特徴とするコンテンツ配信システム。
【請求項３】
請求項１又は２に記載のコンテンツ配信システムにおいて、
前記第１情報取得手段は、前記利用者識別媒体に印刷された前記電子透かし画像をデジタル画像データとして撮影する撮影部と、当該撮影部で撮影されたデジタル画像データから前記第１情報を検出する透かし画像検出部と、を備えること、
を特徴とするコンテンツ配信システム。
【請求項４】
請求項１又は２に記載のコンテンツ配信システムにおいて、
前記第２情報取得手段は、前記情報表示端末が前記利用者識別媒体と所定の距離まで接近した場合に、前記利用者識別媒体の前記記憶媒体に記憶された前記第２情報をデジタル信号データとして取得可能なＩＣリーダであること、
を特徴とするコンテンツ配信システム。
【請求項５】
利用者が携行可能なコンピュータにおいて実行される利用者識別媒体の認証プログラムであって、
前記コンピュータを、
前記利用者識別媒体から取得した第１情報に含まれるコンテンツＩＤ、前記利用者識別媒体から取得した第２情報に含まれる固有情報及び非公開値記憶手段に記憶された非公開値により構成されるデータのハッシュ値を算出するハッシュ値算出手段と、
前記ハッシュ値算出手段により算出されたハッシュ値と、前記第２情報に含まれるハッシュ値とが一致するか否かを判定するハッシュ値判定手段と、
前記ハッシュ値判定手段において両ハッシュ値が一致すると判定された場合に、コンテンツ記憶サーバから前記コンテンツＩＤに対応するコンテンツを取得し、当該コンテンツを情報表示端末に表示させるコンテンツ取得手段と、
して機能させる認証プログラム。
【発明の詳細な説明】
【技術分野】
【０００１】
本発明は、コンテンツ配信システム、及び認証プログラムに関する。
【背景技術】
【０００２】
従来、ＩＣチップ、ラベル等の記憶媒体をポスター等の広告媒体に貼り付けて掲示するシステムが知られている（例えば、特許文献１参照）。このシステムでは、情報表示端末を広告媒体に近づけることにより、記憶媒体に記憶されたＵＲＩ（Ｕｎｉｆｏｒｍ  Ｒｅｓｏｕｒｃｅ  Ｉｄｅｎｔｉｆｉｅｒ）情報等が情報表示端末に読み取られる。そして、情報表示端末がＵＲＩ情報等に基づいて広告サーバに接続することにより、情報表示端末の画面上に、広告サーバから配信されたコンテンツが表示される。
【先行技術文献】
【特許文献】
【０００３】
【特許文献１】特開２００２−１８５５６５号公報
【発明の概要】
【発明が解決しようとする課題】
【０００４】
上記システムにおいて、広告媒体は、主に不特定多数の人が利用する場所に掲示される。そのため、情報提供者側は、特定の利用者にのみコンテンツを配信したり、利用者毎の興味、趣味、嗜好（以下、「嗜好等」ともいう）に合わせたコンテンツを配信したりすることが難しいという課題があった。
【０００５】
本発明の目的は、特定の利用者に、利用者毎の嗜好等に合わせたコンテンツを配信することができるコンテンツ配信システム、及び認証プログラムを提供することにある。
【課題を解決するための手段】
【０００６】
本発明は、以下のような解決手段により、前記課題を解決する。なお、理解を容易にするために、本発明の実施形態に対応する符号を付して説明するが、これに限定されるものではない。また、符号を付して説明した構成は、適宜改良してもよく、また、少なくとも一部を他の構成物に代替してもよい。
【０００７】
第１の発明は、情報提供者側から利用者に配布される利用者識別媒体（１０）と、利用者がコンテンツを閲覧するときに使用する情報表示端末（２０）と、前記情報表示端末に通信ネットワークを介して配信するコンテンツを記憶するコンテンツ記憶サーバ（３０）と、を備えたコンテンツ配信システム（１）であって、前記利用者識別媒体には、コンテンツＩＤの埋め込まれた電子透かし画像（１１）が第１情報として印刷されると共に、前記利用者識別媒体の固有情報、前記コンテンツＩＤ及び非公開値により構成されるデータのハッシュ値と、前記固有情報とが第２情報として記憶された記憶媒体（１２）が実装され、前記情報表示端末は、情報提供者側から配信された前記非公開値を記憶する非公開値記憶手段（２４）と、前記利用者識別媒体から前記第１情報を取得する第１情報取得手段（２５）と、前記利用者識別媒体から前記第２情報を取得する第２情報取得手段（２６）と、前記第１情報に含まれる前記コンテンツＩＤ、前記第２情報に含まれる固有情報及び前記非公開値記憶手段に記憶された前記非公開値により構成されるデータのハッシュ値を算出するハッシュ値算出手段（２２）と、前記ハッシュ値算出手段により算出されたハッシュ値と、前記第２情報に含まれるハッシュ値とが一致するか否かを判定するハッシュ値判定手段（２２）と、前記ハッシュ値判定手段において両ハッシュ値が一致すると判定された場合に、前記コンテンツ記憶サーバから前記コンテンツＩＤに対応するコンテンツを取得し、当該コンテンツを前記情報表示端末に表示させるコンテンツ取得手段（２２）と、を備えることを特徴とするコンテンツ配信システムである。
第２の発明は、第１の発明のコンテンツ配信システム（１）において、前記情報表示端末（２０）は、前記第２情報取得手段（２６）が前記利用者識別媒体（１０）から前記第２情報の取得に成功した場合に、前記第１情報取得手段（２５）により前記利用者識別媒体の前記第１情報を取得させること、を特徴とするコンテンツ配信システムである。
第３の発明は、第１又は第２の発明のコンテンツ配信システム（１）において、前記第１情報取得手段（２５）は、前記利用者識別媒体（１０）に印刷された前記電子透かし画像（１１）をデジタル画像データとして撮影する撮影部（２５１）と、当該撮影部で撮影されたデジタル画像データから前記第１情報を検出する透かし画像検出部（２５２）と、を備えること、を特徴とするコンテンツ配信システムである。
第４の発明は、第１又は第２の発明のコンテンツ配信システム（１）において、前記第２情報取得手段（２６）は、前記情報表示端末（２０）が前記利用者識別媒体（１０）と所定の距離まで接近した場合に、前記利用者識別媒体の前記記憶媒体に記憶された前記第２情報をデジタル信号データとして取得可能なＩＣリーダであること、を特徴とするコンテンツ配信システムである。
【０００８】
第５の発明は、利用者が携行可能なコンピュータ（２０）において実行される利用者識別媒体の認証プログラム（２４１）であって、前記コンピュータを、前記利用者識別媒体（１０）から取得した第１情報に含まれるコンテンツＩＤ、前記利用者識別媒体から取得した第２情報に含まれる固有情報及び非公開値記憶手段に記憶された非公開値により構成されるデータのハッシュ値を算出するハッシュ値算出手段（２２）と、前記ハッシュ値算出手段により算出されたハッシュ値と、前記第２情報に含まれるハッシュ値とが一致するか否かを判定するハッシュ値判定手段（２２）と、前記ハッシュ値判定手段において両ハッシュ値が一致すると判定された場合に、コンテンツ記憶サーバから前記コンテンツＩＤに対応するコンテンツを取得し、当該コンテンツを情報表示端末に表示させるコンテンツ取得手段（２２）と、して機能させる認証プログラムである。
【発明の効果】
【０００９】
本発明によれば、特定の利用者に、利用者毎の嗜好等に合わせたコンテンツを配信することができるコンテンツ配信システム、及び認証プログラムを提供することができる。
【図面の簡単な説明】
【００１０】
【図１】実施形態におけるコンテンツ配信システム１の構成を示す概念図である。
【図２】ＩＣカード１０の発行形態を示す説明図である。
【図３】情報表示端末２０の構成を示すブロック図である。
【図４】コンテンツ記憶サーバ３０に記憶されたデータの一例を示す説明図である。
【図５】コンテンツ配信システム１におけるカード認証処理及びコンテンツ配信処理の手順を示すフローチャートである。
【図６】利用者による利用形態の一部を示す模式図である。
【発明を実施するための形態】
【００１１】
以下、本発明に係るコンテンツ配信システム、及び認証プログラムの実施形態について説明する。
図１は、本実施形態におけるコンテンツ配信システム１の構成を示す概念図である。図２は、ＩＣカード１０の発行形態を示す説明図である。図３は、情報表示端末２０の構成を示すブロック図である。図４は、コンテンツ記憶サーバ３０に記憶されたデータの一例を示す説明図である。
【００１２】
図１に示すように、本実施形態におけるコンテンツ配信システム１は、利用者識別媒体としてのＩＣカード１０と、情報表示端末２０と、コンテンツ記憶サーバ３０と、を備える。
【００１３】
ＩＣカード１０は、店舗やイベント会場等において、情報提供者側から特定の利用者に配布されるカードである。ＩＣカード１０の券面には、電子透かし画像１１が第１情報として印刷されている。電子透かし画像１１は、コンテンツＩＤが電子透かし情報として埋め込まれた背景画像である。コンテンツＩＤとは、利用者に配信するコンテンツの種類を識別するための番号である。電子透かし画像１１は、例えば図２に示すように、コンテンツの種類に応じて、異なる絵柄が設定される。
【００１４】
また、ＩＣカード１０には、記憶媒体としてのＩＣチップ１２が実装されている。ＩＣチップ１２には、固有情報としてのカード製造ＩＤ、コンテンツＩＤ、及び非公開値としての固定鍵により構成されるデータのハッシュ値と、カード製造ＩＤとが第２情報として記憶される。
ＩＣカード１０には、ＨＦ（Ｈｉｇｈ  Ｆｒｅｑｕｅｎｃｙ）帯の電磁波によりデータを送受信するアンテナ（不図示）が実装されている。ＩＣチップ１２は、ＨＦ帯のアンテナを介して、情報表示端末２０との間でデータを送受信することができる。
【００１５】
カード製造ＩＤは、それぞれのＩＣカード１０に固有の識別番号（ＩＤｍ、ＵＩＤ等）である。カード製造ＩＤは、ＩＣカード１０の製造時にＩＣチップ１２に記憶される。
コンテンツＩＤは、電子透かし画像１１に埋め込まれたコンテンツＩＤと同じである。固定鍵は、それぞれのＩＣカード１０において共通に設定されたデータ列である。ハッシュ値は、基のデータをハッシュ関数により計算して得られる値であり、基のデータが異なれば、計算により得られるハッシュ値も異なる。上述したカード製造ＩＤ、コンテンツＩＤ、及び固定鍵のうち、カード製造ＩＤは、ＩＣカード１０毎に異なるため、コンテンツＩＤ及び固定鍵が同じであっても、１枚毎に異なるハッシュ値となる。
【００１６】
ＩＣカード１０は、図２に示すように、カード発行システム２により発行される。カード発行システム２は、カード発行端末６０と、カードプリンタ７０と、を備える。
【００１７】
カード発行端末６０は、カード製造ＩＤが記憶されたＩＣカード１０Ａの券面に印刷する第１情報（電子透かし画像１１）、及びＩＣカード１０ＡのＩＣチップ１２に記憶する第２情報（ハッシュ値）を記憶する。カード発行端末６０は、ＩＣカード１０の発行時に、第１情報及び第２情報等を含むカード発行要求をカードプリンタ７０に送信する。
【００１８】
カードプリンタ７０は、カード製造ＩＤが記憶されたＩＣカード１０Ａの券面に、電子透かし画像１１（第１情報）を印刷すると共に、ＩＣカード１０ＡのＩＣチップ１２に、ハッシュ値（第２情報）を記憶する印刷装置である。カード製造ＩＤが記憶されたＩＣカード１０Ａは、店舗やイベント会場等において、情報提供者等により用意される。
【００１９】
カードプリンタ７０は、カード発行端末６０から送信されたカード発行要求に基づいて、カード製造ＩＤが記憶されたＩＣカード１０Ａへの電子透かし画像１１の印刷と、ＩＣチップ１２へのハッシュ値の記憶を行う。カード発行システム２により、コンテンツの種類に応じて、異なる絵柄の電子透かし画像１１が印刷されたＩＣカード１０が発行される。
【００２０】
カード発行システム２では、カードプリンタ７０によりＩＣカード１０の券面に電子透かし画像１１が印刷される。そのため、カード発行システム２を店舗等に設置した場合には、電子透かし画像１１の印刷されたＩＣカード１０Ａを事前に準備することなしに、ＩＣカード１０をその場で即時に発行することができる。
【００２１】
カード発行システム２により発行されたＩＣカード１０は、例えば、店舗やイベント会場等において利用者に配布される。また、ＩＣカード１０は、ＤＭ等により特定の利用者に配送されてもよい。
【００２２】
情報表示端末２０は、利用者がコンテンツを閲覧するときに使用する通信端末装置であり、例えばスマートフォン、タブレット端末、タッチパネル型パーソナルコンピュータ等である。即ち、情報表示端末２０は、利用者が携行可能なコンピュータである。
【００２３】
情報表示端末２０は、図３に示すように、通信Ｉ／Ｆ部２１と、制御部２２と、タッチパネル２３と、記憶部２４と、第１情報取得手段としてのカメラ２５と、第２情報取得手段としてのＩＣリーダ２６と、を備える。
【００２４】
通信Ｉ／Ｆ部２１は、通信ネットワーク４０及び基地局５０を介して、コンテンツ記憶サーバ３０、情報提供者側の管理サーバ（不図示）等との間で通信を行うための通信インターフェースである。通信Ｉ／Ｆ部２１は、基地局５０を介して通信ネットワーク４０に接続されている。また、通信Ｉ／Ｆ部２１と基地局５０との間は、所定の無線通信方式によりデータの送受信が行われる。
【００２５】
制御部２２は、情報表示端末２０の動作を統括的に制御するＣＰＵである。制御部２２は、記憶部２４に記憶されているオペレーティングシステム（ＯＳ）やアプリケーションプログラムを読み出して実行することにより、各ハードウェアと協働して、後述する各種機能を実現する。制御部２２が認証プログラム２４１（後述）に従って実行する処理については後述する。
【００２６】
タッチパネル２３は、液晶パネル等の表示デバイスで構成される表示部と、タッチスクリーン等の操作検出デバイスで構成される入力部と、を備える（いずれも不図示）。利用者は、タッチパネル２３に指等で触れることにより、制御部２２に対してデータの入力や動作の指示を行うことができる。
【００２７】
記憶部２４は、制御部２２において実行されるプログラム、データ等を記憶する記憶装置である。記憶部２４には、認証プログラム２４１が記憶される。認証プログラム２４１は、情報提供者側の管理サーバから配信されるアプリケーションソフトウェアである。ＩＣカード１０を取得した利用者は、情報提供者側の管理サーバ（不図示）にアクセスすることにより、認証プログラム２４１を情報表示端末２０（記憶部２４）にダウンロードすることができる。
【００２８】
認証プログラム２４１の中には、固定鍵２４２が含まれる。認証プログラム２４１に含まれる固定鍵２４２は、ＩＣチップ１２（ＩＣカード１０）に記憶されたハッシュ値の計算において、基のデータを構成する固定鍵と同じ固定鍵である。記憶部２４は、非公開値としての固定鍵を記憶する非公開値記憶手段としても機能する。
【００２９】
認証プログラム２４１は、コンピュータとしての制御部２２を、ＩＣカード１０から取得した第１情報に含まれるコンテンツＩＤ、ＩＣカード１０から取得した第２情報に含まれるカード製造ＩＤ、及び固定鍵により構成されるデータのハッシュ値を算出するハッシュ値算出手段と、ハッシュ値算出手段により算出されたハッシュ値と、第２情報に含まれるハッシュ値とが一致するか否かを判定するハッシュ値判定手段と、ハッシュ値判定手段において両ハッシュ値が一致すると判定された場合に、コンテンツ記憶サーバ３０からコンテンツＩＤに対応するコンテンツを取得し、当該コンテンツをタッチパネル２３に表示させるコンテンツ取得手段と、して機能させるプログラムである。
【００３０】
カメラ２５は、ＩＣカード１０に印刷された電子透かし画像１１を撮影し、デジタル画像データとして出力する。カメラ２５は、撮影部２５１を備える。撮影部２５１は、ＩＣカード１０に印刷された電子透かし画像１１をデジタル画像データとして撮影する。記憶部２４に記憶された透かし画像検出プログラム２４３は、撮影部２５１で撮影されたデジタル画像データから、第１情報（コンテンツＩＤ）を検出する。撮影部２５１で撮影されたデジタル画像データを、記憶部２４の透かし画像検出プログラム２４３で解析することにより、第１情報を検出することができる。
【００３１】
ＩＣリーダ２６は、１００ｍｍ程度の至近距離でデータ通信を行う近距離無線通信の機能を備える。ＩＣリーダ２６は、情報表示端末２０がＩＣカード１０と所定の距離まで接近した場合に、ＩＣカード１０のＩＣチップ１２に記憶された第２情報をデジタル信号データとして取得する。
【００３２】
コンテンツ記憶サーバ３０は、情報表示端末２０に配信する各種のコンテンツを記憶、管理する。コンテンツ記憶サーバ３０は、図４に示すように、コンテンツ管理テーブル３１を備える。コンテンツ管理テーブル３１には、電子透かし画像の名称、コンテンツＩＤ、及びコンテンツデータ（限定コンテンツ）が対応付けて記述されている。本実施形態において、限定コンテンツは静止画像である。このコンテンツデータは、定期的に入れ替えられてもよいし、期間限定であってもよい。
【００３３】
コンテンツ記憶サーバ３０は、情報表示端末２０から受信したコンテンツＩＤに基づいてコンテンツ管理テーブル３１を参照することにより、そのコンテンツＩＤに対応付けられたコンテンツデータを抽出する。コンテンツ記憶サーバ３０は、情報表示端末２０からコンテンツ配信要求（後述）を受信すると、そのコンテンツ配信要求に含まれるコンテンツＩＤに対応付けられたコンテンツデータを抽出して、情報表示端末２０に送信する。
【００３４】
次に、コンテンツ配信システム１の利用方法、処理について説明する。図５は、コンテンツ配信システム１におけるカード認証処理及びコンテンツ配信処理の手順を示すフローチャートである。図６（ａ）、（ｂ）は、利用者による利用形態の一部を示す模式図である。
【００３５】
図５に示すフローチャートの処理は、利用者が情報表示端末２０の認証プログラム２４１（図３参照）を起動し、図６（ａ）に示すように、カメラ２５及びＩＣリーダ２６によりＩＣカード１０に記憶された第１及び第２情報の読み取りを実行することによりスタートする。
【００３６】
図５に示すステップＳ（以下、「Ｓ」という）１０１において、制御部２２（情報表示端末２０）は、ＩＣリーダ２６により、ＩＣカード１０のＩＣチップ１２に記憶された第２情報を取得させる。
【００３７】
Ｓ１０２において、制御部２２は、第２情報の取得に成功したか否かを判定する。このＳ１０２の判定がＹＥＳであれば、処理はＳ１０３へ移行する。また、Ｓ１０２の判定がＮＯであれば、処理を終了する。第２情報が取得できなければ、カード認証処理が出来ないからである。
【００３８】
Ｓ１０３において、制御部２２は、カメラ２５により、ＩＣカード１０の券面に印刷された電子透かし画像１１を撮影させ、電子透かし画像１１に埋め込まれた第１情報（コンテンツＩＤ）を取得させる。
【００３９】
Ｓ１０４において、制御部２２は、第１情報の取得に成功したか否かを判定する。このＳ１０４の判定がＹＥＳであれば、処理はＳ１０５へ移行する。また、Ｓ１０４の判定がＮＯであれば、処理を終了する。Ｓ１０１において第２情報の取得に成功しても、第１情報が取得できなければ、カード認証処理が出来ないからである。
【００４０】
Ｓ１０５において、制御部２２は、ＩＣカード１０から取得した第１情報に含まれるコンテンツＩＤ、ＩＣカード１０から取得した第２情報に含まれるカード製造ＩＤ、及び固定鍵２４２（図３参照）により構成されるデータのハッシュ値を算出する。
【００４１】
Ｓ１０６において、制御部２２は、ＩＣカード１０から取得した第２情報に含まれるハッシュ値を取得する。
【００４２】
Ｓ１０７において、制御部２２は、Ｓ１０５で算出したハッシュ値と、Ｓ１０６で取得したハッシュ値とが一致するか否かを判定する。このＳ１０７の判定がＹＥＳであれば、処理はＳ１０８へ移行する。また、Ｓ１０７の判定がＮＯであれば、カード認証に失敗したので、処理を終了する。制御部２２は、カード認証に失敗した場合には、タッチパネル２３上に認証結果を表示させる。
【００４３】
Ｓ１０８において、制御部２２は、Ｓ１０３で取得したコンテンツＩＤ、及び情報表示端末２０のＩＰアドレス、機種、型番、ブラウザ種類、ブラウザバージョン等を含むコンテンツ配信要求を、コンテンツ記憶サーバ３０に送信する。コンテンツ記憶サーバ３０のＵＲＩは、ダウンロードした認証プログラム２４１（図３参照）に記述されている。
【００４４】
Ｓ２０１において、コンテンツ記憶サーバ３０は、利用者の情報表示端末２０から送信されたコンテンツ配信要求を受信する。
Ｓ２０２において、コンテンツ記憶サーバ３０は、コンテンツ管理テーブル３１を参照して、受信したコンテンツ配信要求に含まれるコンテンツＩＤに対応付けられたコンテンツデータを抽出する。
Ｓ２０３において、コンテンツ記憶サーバ３０は、Ｓ２０２で抽出したコンテンツデータ（及び付属情報）を、情報表示端末２０に送信して、処理を終了する。
【００４５】
Ｓ１０９において、制御部２２（情報表示端末２０）は、コンテンツ記憶サーバ３０から送信されたコンテンツデータを受信する。
Ｓ１１０において、制御部２２は、図６（ｂ）に示すように、受信したコンテンツデータ（限定コンテンツ）をタッチパネル２３上に表示させて、処理を終了する。
【００４６】
上述した本実施形態のコンテンツ配信システム１によれば、以下のような効果を奏する。
（１）コンテンツ配信システム１において、ＩＣカード１０は、特定の利用者にのみ配布され、その利用者の嗜好等に合わせたコンテンツデータが利用者の情報表示端末２０に送信される。従って、コンテンツ配信システム１によれば、特定の利用者に、利用者毎のニーズに合わせたコンテンツを配信することができる。
【００４７】
（２）ＩＣカード１０の電子透かし画像１１を複製しても、そのＩＣカード１０（ＩＣチップ１２）に記憶された第２情報を取得できなければ、カード認証に成功しないので、コンテンツデータを受信することができない。そのため、コンテンツ配信システム１によれば、電子透かし画像１１が複製されたＩＣカードを無効にすることができる。
【００４８】
（３）ＩＣカード１０の電子透かし画像１１（第１情報）と、ＩＣチップ１２に記憶されたハッシュ値及びカード製造ＩＤ（第２情報）とを用いてカード認証処理を行う。そのため、コンテンツ配信システム１によれば、複製されたＩＣカードの利用を防止できるだけでなく、ＩＣカード１０の正当性を確実に証明することができる。
【００４９】
（４）情報表示端末２０では、ＩＣリーダ２６により第２情報の取得に成功した場合に、カメラ２５により第１情報を取得させる。これによれば、電子透かし画像１１を複製したＩＣカードでは、第２情報を取得できないため、カメラ２５による電子透かし画像１１（第１情報）の撮影処理がキャンセルされる。そのため、コンテンツ配信システム１によれば、電子透かし画像１１を複製したＩＣカードのカード認証処理を、より速やかに行うことができる。
【００５０】
（５）利用者は、カード番号（利用者とＩＣカード１０とを関連付ける識別番号）と嗜好等を事前に登録することなしに、所望のコンテンツデータを取得することができる。これによれば、利用者は、個人の嗜好等に関する情報を登録する嫌悪感なしに、コンテンツ配信システム１によるサービスを受けることができる。そのため、コンテンツ配信システム１によれば、販売促進や会員獲得等に結びつくサービスの提供をより効率良く行うことができる。
【００５１】
（６）記憶媒体（ＩＣチップ、ラベル等）をポスター等の広告媒体に貼り付けて掲示する形態では、掲示場所や掲示期間等に制約を受けるだけでなく、掲示期間中は定期的な維持、管理が必要となる。また、特定の利用者にのみコンテンツを配信することが難しい。これに対して、コンテンツ配信システム１によれば、ＩＣカード１０を、街頭、店舗、イベント会場、ＤＭ等により、特定の利用者にのみ配布することができる。また、配布する枚数や期間も任意に設定することができる。更に、ＩＣカード１０を取得した利用者は、コンテンツデータが欲しい場合にのみコンテンツデータを配信させることができる。従って、コンテンツ配信システム１によれば、情報提供者によるコンテンツデータの配信、及び利用者によるコンテンツデータの取得を、より簡単に且つ容易に行うことができる。
【００５２】
（７）コンテンツＩＤを、ＩＣカード１０のＩＣチップ１２に記憶する必要がないので、ＩＣチップ１２のメモリ容量を少なくことができる。
【００５３】
以上、本発明の実施形態について説明したが、本発明は上述した実施形態に限定されるものではない。また、実施形態に記載した効果は、本発明から生じる最も好適な効果を列挙したに過ぎず、実施形態に記載したものに限定されない。なお、上述した実施形態及び後述する変形形態は、適宜に組み合わせて用いることもできるが、詳細な説明は省略する。
【００５４】
（変形形態）
（１）実施形態では、各種のコンテンツデータを、１つのコンテンツ記憶サーバ３０で包括的に記憶、管理する例について示した。これに限らず、各種のコンテンツデータを、それぞれ専用のコンテンツ記憶サーバ３０で記憶、管理する構成としてもよい。
【００５５】
（２）実施形態では、カード認証に成功した情報表示端末２０から、コンテンツ記憶サーバ３０に対して、直接にコンテンツ配信要求を送信する例について説明した。これに限らず、通信ネットワーク４０に接続された情報提供者側の管理サーバ（不図示）において、リダイレクトによりコンテンツデータを配信する構成としてもよい。この場合、情報表示端末２０からのコンテンツ配信要求は、管理サーバに送信される。管理サーバでは、コンテンツ記憶サーバ３０のＵＲＩを情報表示端末２０に送信する。情報表示端末２０では、取得したＵＲＩにアクセスして、コンテンツ記憶サーバ３０からコンテンツデータを受信する。
【００５６】
（３）実施形態では、利用者に配信するコンテンツデータ（限定コンテンツ）を静止画像とした例について説明した。これに限らず、コンテンツデータは、テキストデータ（例えば、特別セール、イベントのお知らせ）であってもよいし、動画像、音声付きの静止画像、又はこれらの組み合わせであってもよい。
【００５７】
（４）実施形態では、図５に示すＳ１０７の判定がＮＯの場合、即ち、電子透かし画像１１のコンテンツＩＤは取得できたが、ハッシュ値が一致しなかった場合に処理を終了する例について説明した。これに限らず、コンテンツ記憶サーバ３０に一般コンテンツを記憶しておき、図５に示すＳ１０７の判定がＮＯの場合に、コンテンツ記憶サーバ３０から情報表示端末２０に一般コンテンツを送信させるようにしてもよい。この場合、情報表示端末２０には、限定コンテンツの代わりに一般コンテンツが表示される。
【符号の説明】
【００５８】
１  コンテンツ配信システム
１０  ＩＣカード
１１  電子透かし画像
１２  ＩＣチップ
２０  情報表示端末
２２  制御部
２４  記憶部
２５  カメラ
２６  ＩＣリーダ
３０  コンテンツ記憶サーバ
３１  コンテンツ管理テーブル
２４１  認証プログラム
２４２  固定鍵
２５１  撮影部
２５２  透かし画像検出部
【図１】
2015103009.tif 000003
【図２】
2015103009.tif 000004
【図３】
2015103009.tif 000005
【図４】
2015103009.tif 000006
【図５】
2015103009.tif 000007
【図６】
2015103009.tif 000008